(57)【要約】【課題】低コストで製造可能であり、かつ識別性を担保することが可能な印鑑を提供すること。【解決手段】本考案にかかる印鑑は、金属製であって、ＮＣ彫刻により文字が刻印された機械彫刻領域と、刻印された文字において内コーナー部分に手彫りにより鋭角に刻印された手彫り彫刻領域を印面に備えている。そして、機械彫刻領域では、文字表面に近づくに従って、狭くなる多段形状を有している。さらに、前記多段形状において最も低い段は、ストライプ状の凹凸形状を有するようにするとよい。【選択図】図１
0003149472.tif 000002
【実用新案登録請求の範囲】
【請求項１】
ＮＣ彫刻により文字が刻印された機械彫刻領域と、刻印された文字において内コーナー部分に手彫りにより鋭角に刻印された手彫り彫刻領域を印面に備えた金属製の印鑑。
【請求項２】
前記機械彫刻領域では、文字表面に近づくに従って、狭くなる多段形状を有していることを特徴とする請求項１記載の印鑑。
【請求項３】
前記多段形状において最も低い段は、ストライプ状の凹凸形状を有することを特徴とする請求項２記載の印鑑。
【考案の詳細な説明】
【技術分野】
【０００１】
本考案は、印鑑に関し、特に印鑑における印面の構造に関する。
【背景技術】
【０００２】
印鑑は、用途や価格帯に応じて様々な材料を用いて構成される。例えば、つげ、象牙、水牛、水晶、貴金属が用いられる。そして、印鑑の構造についても、軽量化やその他の要求を充足するために、様々な構造が提案されている。
【０００３】
例えば、特許文献１に開示された印鑑は、貴金属の電鋳造により得た、薄肉でほぼ印鑑の外形を有し底部が開口した台の底部に、貴金属製で断面コ字状の印面片支持具を接着固定し、その上に印面片を接着固定して中空体の印材を構成し、印面に刻印を施してなる構造を有している。
【先行技術文献】
【特許文献】
【０００４】
【特許文献１】実開平５−７８５６８号公報
【考案の概要】
【考案が解決しようとする課題】
【０００５】
特許文献１に開示された印鑑の印材は電鋳によって製造され、また、印面片支持具はプレス成形などによって製造されるが、印面の刻印方法については、開示されていない。一般的に、識別性を必要とする印鑑の刻印は、手彫りにより刻印が施される。
【０００６】
しかしながら、刻印を手彫りする技術を修得することは容易ではなく、限られた人しかできないため、製造コストが上昇し、印鑑の価格が高くなる。その一方で、機械加工によって刻印を作成すると、識別性に欠けることになる。
【０００７】
本考案は、かかる課題を解決するためになされたものであり、低コストで製造可能であり、かつ識別性を担保することが可能な印鑑を提供することを目的とする。
【課題を解決するための手段】
【０００８】
本考案にかかる印鑑は、ＮＣ彫刻により文字が刻印された機械彫刻領域と、刻印された文字において内コーナー部分に手彫りにより鋭角に刻印された手彫り彫刻領域を印面に備えた金属製の印鑑である。
【０００９】
ここで、前記機械彫刻領域では、文字表面に近づくに従って、狭くなる多段形状を有している。
【００１０】
また、前記多段形状において最も低い段は、ストライプ状の凹凸形状を有している。
【考案の効果】
【００１１】
本考案によれば、低コストで製造可能であり、かつ識別性を担保することが可能な印鑑を提供することができる。
【図面の簡単な説明】
【００１２】
【図１】考案の実施の形態にかかる印鑑の製造の流れを示すフローチャートである。
【図２】考案の実施の形態にかかる印鑑の印面の構造及びその作成データを説明するための説明図である。
【図３】考案の実施の形態にかかる印鑑の作成データを説明するための説明図である。
【図４】考案の実施の形態にかかる印鑑の作成データを説明するための説明図である。
【図５】考案の実施の形態にかかる印鑑の彫刻を説明するための断面図である。
【図６】考案の実施の形態にかかる印鑑の精密補刻作業を説明するための説明図である。
【考案を実施するための形態】
【００１３】
考案の実施の形態１．
以下、図面を参照して本考案の実施の形態について説明する。
最初に、本実施の形態にかかる印鑑の製造の流れについて、図１のフローチャートを用いて説明する。まず、ユーザ等が印鑑の印面の原稿を作成する（Ｓ１０１）。具体的には、含める文字、自体、大きさ、配置等について決定し、書面に表す。次に、作成された原稿を投影機によって、例えば、１０倍〜２０倍に拡大複写する（Ｓ１０２）。
【００１４】
拡大複写した原稿に基づいて、ＣＡＤ作図を実行する（Ｓ１０３）。そして、作成したＣＡＤ作図を、ＮＣ（数値制御）彫刻機で用いられるＮＣデータへ変換する（Ｓ１０４）。
【００１５】
変換されたＮＣデータをＮＣ彫刻機に入力し、現物彫刻を実行する（Ｓ１０５）。ここで、印材は、黄銅等の金属材料よりなり、ＮＣ彫刻機によって印面に対して精密金属彫刻を行う。
【００１６】
次に、専門職の作業者によって、刻印された文字のうち、内コーナー部分（補彫刻部分）に、手作業により補彫刻を行う（Ｓ１０６）。この補彫刻を施すことによって、識別性を担保することができる。
【００１７】
さらに、必要に応じて、外周磨き（Ｓ１０７）、金メッキ等の装飾メッキ（Ｓ１０８）、レーザ彫刻機による作成日刻印（Ｓ１０９）を行う。
【００１８】
このような作業により、印鑑の印面には、ＮＣ彫刻により文字が刻印された機械彫刻領域と、刻印された文字において内コーナー部分に手彫りにより鋭角に刻印された手彫り彫刻領域が形成される。
【００１９】
図２は、本実施の形態にかかる印鑑の印面の構造及びその作成データを説明するための説明図である。印面１０は、高さが３段階に異なる３段構造を有している。最も低い第１の段１１、次に低い第２の段１２、最も高い第３の段１３である。第３の段１３は、朱肉を塗布して捺印する際に、直接、紙に接触する領域であり、文字の形を有している。図２には、「有江」という名前の例が示されているが、第３の段１３は、「有江」なる文字の形を有している。
【００２０】
第２の段１２は、第３の段１３の周りを囲う領域に設けられている。図３は、第２の段１２を彫刻するための作図データを示している。
【００２１】
第１の段１１は、最も底に位置する領域に設けられ、この例では、縦方向にストライプ状の凹凸が設けられている。図４は、第１の段１１を彫刻するための作図データを示している。
【００２２】
このように、本実施の形態にかかる印鑑の印面では、多段構造によって形成され、文字のある部分の断面は、側面が階段状の台形を有している。このような構成によって、次のような効果を奏する。
（１）文字以外の不要部分を深くすることができる。
（２）各段彫刻において文字形状の精密度を上げることができる。
（３）文字表面方向からの力に対して強度が高まり、損傷に強くなる。
【００２３】
続いて、図５を用いて３段彫刻について説明する。まず、図５（ａ）に示されるように、粗彫りカッター２１により、不要部分を切削除去する粗彫り彫刻を実行する。次に、図５（ｂ）に示されるように、粗彫りカッター２１により、文字形状を粗切削する中彫り彫刻を実行する。これにより、第１の段１１が形成される。さらに、図５（ｃ）に示されるように、仕上げ彫りカッター２２により文字形状を仕上げ切削する仕上げ彫刻を実行する。これにより、第２の段１２、第３の段１３が形成される。
【００２４】
次に、補刻作業について、図６を用いて説明する。補刻箇所は、文字の書体、字画、間隔、内角、その他文字形状により、ＮＣ彫刻の不可能部分に定められる。図６に示す例では、補刻１、補刻２、補刻３のそれぞれの領域において、人手によって補刻が行われる。それぞれの領域に示されるように、ＮＣ彫刻では、内角、即ち、内コーナー部を鋭角に彫刻することが困難であり、これを補うように、補刻する。
【００２５】
このように、補刻することによって、次のような効果を奏する。
（１）朱肉の詰まりが少なくなることにより、押印の印影が鮮明になる。
（２）印鑑のブラッシングの際に、詰まった朱肉を容易に除去することができる。
【００２６】
なお、本考案は上記実施の形態に限られたものではなく、趣旨を逸脱しない範囲で適宜変更することが可能である。
【符号の説明】
【００２７】
１０  印面
１１  第１の段
１２  第２の段
１３  第３の段
２１  粗彫りカッター
２２  仕上げ彫りカッター
【図１】
0003149472.tif 000003
【図２】
0003149472.tif 000004
【図３】
0003149472.tif 000005
【図４】
0003149472.tif 000006
【図５】
0003149472.tif 000007
【図６】
0003149472.tif 000008